(57)【特許請求の範囲】
【請求項１】
複数の散熱フィンを有し、これらの散熱フィンを収容空間を形成するように放射形状に組み合わせる散熱モジュールと、前記複数の散熱フィンに当接するように前記散熱モジュールの収容空間内に収容されて、前記複数の散熱フィンにより囲まれる発光モジュールと、前記発光モジュールに電気的に接続されて前記複数の散熱フィンのうちの隣り合う２つの散熱フィンの間の隙間を通る電源転送モジュールと、をそれぞれ備える複数の発光ダイオードランプ構造と、
上板本体、及び前記上板本体と相互に組み合わせられる下板本体を備えるケーシングモジュールと、
前記上板本体と前記下板本体との間に設けられた複数の散熱シートと、
各発光ダイオードランプ構造の電源転送モジュールに電気的に接続される電源プラグとを含み、
前記上板本体は、前記複数の発光ダイオードランプ構造の各々を露出させる複数の開口を有し、
前記複数の発光ダイオードランプ構造は、前記上板本体と前記下板本体との間で前記複数の散熱シートに囲まれるように配置されることを特徴とする発光ダイオードランプシステム。
【請求項２】
前記複数の発光ダイオードランプ構造の各散熱モジュールのそれぞれの散熱フィンは、堆積部と、前記堆積部の側辺から前方向かつ上方向へ延び出されたフィン部と備え、
前記発光モジュールは前記散熱フィンの堆積部に設置されることを特徴とする請求項１記載の発光ダイオードランプシステム。
【請求項３】
前記散熱フィンは互いに堆積し組み合わせられることを特徴とする請求項１記載の発光ダイオードランプシステム。
【請求項４】
さらに、前記ケーシングモジュールは、前記上板本体と散熱フィンとの間に設けられるジョイント板本体を備え、前記ジョイント板本体は、前記発光モジュールを露出させる開口を有することを特徴とする請求項１記載の発光ダイオードランプシステム。
【請求項５】
前記各散熱フィンの上端及び下端は、それぞれ、前記ジョイント板本体及び下板本体に接触することを特徴とする請求項４記載の発光ダイオードランプシステム。
【請求項６】
前記各散熱フィンの上端は前記ジョイント板本体に接触し、下端は前記下板本体から所定距離離れることを特徴とする請求項４記載の発光ダイオードランプシステム。
【請求項７】
前記発光モジュールは、正、負導電トレースを有する基板と、二本の内部導電ピンと、前記二本の内部導電ピンを介して前記基板の正、負導電トレースに電気的に接続される少なくとも一つの発光素子と、前記少なくとも一つの発光素子を覆うための蛍光コロイドと、前記蛍光コロイドの周辺を覆い前記蛍光コロイドの上面のみを露出させる遮光フレーム本体とを含むことを特徴とする請求項１記載の発光ダイオードランプシステム。
【請求項８】
前記電源転送モジュールは、前記基板の正、負導電トレースにそれぞれ電気的に接続される二本のリードワイヤを有することを特徴とする請求項７記載の発光ダイオードランプシステム。
【請求項９】
さらに、前記散熱フィンの間に設けられる散熱基板を備えることを特徴とする請求項１記載の発光ダイオードランプシステム。
【請求項１０】
前記散熱基板は中空散熱基板であることを特徴とする請求項９記載の発光ダイオードランプシステム。
【請求項１１】
前記散熱基板は中実散熱基板であることを特徴とする請求項９記載の発光ダイオードランプシステム。
【請求項１２】
前記散熱基板は円柱状散熱基板であることを特徴とする請求項９記載の発光ダイオードランプシステム。
【請求項１３】
前記散熱フィンは前記堆積部が左右に互いに堆積するように並べられて組み合わせられることを特徴とする請求項２記載の発光ダイオードランプシステム。
【請求項１４】
前記電源転送モジュールは二本のリードワイヤを有し、かつ前記各堆積部同士の間毎にそのうちの一本のリードワイヤを通過させるためのスールホールが前記各堆積部の上端部に形成されることを特徴とする請求項２記載の発光ダイオードランプシステム。
【請求項１５】
さらに、周囲が前記フィン部の内側縁に当接され、前記収容空間内に収容されかつ前記堆積部の上面に設置される散熱基板を含むことを特徴とする請求項２記載の発光ダイオードランプシステム。
【請求項１６】
前記発光モジュールは前記散熱基板に設置されることを特徴とする請求項１５記載の発光ダイオードランプシステム。
【請求項１７】
前記電源転送モジュールは二本のリードワイヤを有し、かつ前記各堆積部同士の間毎にそのうち一本のリードワイヤを通過させるためのギャップが形成されることを特徴とする請求項１５記載の発光ダイオードランプシステム。
【請求項１８】
前記複数の発光ダイオードランプ構造の各散熱モジュールのそれぞれの散熱フィンは、堆積部と、前記堆積部の側辺から前方向かつ上方向及び下方向へ延び出されたフィン部とを備え、
前記発光モジュールは前記堆積部に設置されることを特徴とする請求項１記載の発光ダイオードランプシステム。
【請求項１９】
さらに、前記堆積部の下面及び前記フィン部の内側縁に当接される散熱基板を含むことを特徴とする請求項１８記載の発光ダイオードランプシステム。
【発明の詳細な説明】
【技術分野】
【０００１】
本発明は、発光ダイオードランプシステムに係り、特に、高効率散熱機能を有する発光ダイオードランプ構造を備えた発光ダイオードランプシステムに係る。
【背景技術】
【０００２】
発光ダイオード(LED)は、従来の光源と比べて、その体積が小さく、省電力で、発光効率が良く、寿命は長く、操作反応速度は速く、熱輻射及び水銀等の有毒物質の汚染がない等の利点を備えているため、近年、発光ダイオードは広く応用されるようになってきた。従来は、発光ダイオードの輝度は、伝統的な照明光源を切り替えることはできなかったが、技術領域の向上に伴い、現在は高照明輝度の発光ダイオード（ハイパワー  LED）が既に研究開発され、伝統的な照明光源を十分に切り替えられるようになっている。
【０００３】
発光ダイオードランプは、その耐熱性が比較劣っているため、通常、導熱素子または散熱素子により発光ダイオードが発生した熱量を外へ伝導し散熱させることにより、発光ダイオードランプを比較的低い温度で正常に操作できるようになる。そのため、如何にすれば発光ダイオードランプ全体の導熱または散熱効果を構造の設計により向上させられるのかが、該事業を従事する当業者にとって重要な課題になっている。
【０００４】
しかしながら、従来の発光ダイオードランプの散熱効果については、明らかに不便や欠点が存在し、改善が期待されていた。
【０００５】
そのため、本発明者は、前記従来の欠点を鑑み、且つ、長年に亘って該領域を従事した経験に従って、専念な観察かつ研究をし、さらに学術理論の運用を併せ、合理的な設計で且つ前記欠点を効率的に改善できるものを提供する。
【発明の開示】
【発明が解決しようとする課題】
【０００６】
本発明が解決しようとする課題は、高効率散熱機能を有する発光ダイオードランプシステムを提供することにある。本発明は、ラジアル型散熱フィン(radial-shaped fin)を有する散熱モジュールを使用することにより、ハイパワー発光ダイオードに高効率の散熱効果を提供する。そのため、本発明の発光ダイオードは、比較的低い温度下で使用でき、発光ダイオードの使用寿命を確保できる。
【課題を解決するための手段】
【０００７】
前記技術問題を解決するため、本発明による一態様は、散熱モジュールと、発光モジュールと、電源転送モジュールとを含む発光ダイオードランプ構造を備えた発光ダイオードランプシステムを提供する。
【０００８】
前記散熱モジュールは、複数の散熱フィンを有し、これらの散熱フィンは収容空間を形成するように放射形状に組み合わせられる。前記発光モジュールは前記散熱モジュールの収容空間内に収容される。前記電源転送モジュールは前記発光モジュールに電気的に接続される。また、前記発光モジュールは正、負導電トレースを有する基板と、二本の内部導電ピンと、二本の内部導電ピンを介して前記基板の正、負導電トレースに電気的に接続される少なくとも一つの発光素子と、前記少なくとも一つの発光素子を覆うための蛍光コロイドと、前記蛍光コロイドの周辺を覆い前記蛍光コロイドの上面のみを露出させる遮光フレーム本体とを含む。
【０００９】
また、本発明の発光ダイオードランプ構造は、さらに、上板本体と、前記上板本体と相互に組み合わせられる下板本体と、前記上板本体と前記散熱フィンとの間に設けられるジョイント板本体とを備えるケーシングモジュールを含み、前記上板本体及び前記ジョイント板本体は、それぞれ、前記発光モジュールを露出させる開口を有する。また、各散熱フィンの上端及び下端は、それぞれ、前記ジョイント板本体及び下板本体に接触し、あるいは、各散熱フィンの上端は前記ジョイント板本体に接触し、下端は前記下板本体から所定距離離れる。
【００１０】
前記技術問題を解決するため、本発明による一態様は、複数の発光ダイオードランプ構造、ケーシングモジュール、複数の散熱シート、及び電源プラグを含む発光ダイオードランプシステムを提供する。
【００１１】
前記各発光ダイオードランプ構造は、散熱モジュールと、発光モジュールと、電源転送モジュールとを含む。前記散熱モジュールは、複数の散熱フィンを有し、これらの散熱フィンは収容空間を形成するように放射形状に組み合わせられる。前記発光モジュールは前記複数の散熱フィンに当接するように前記散熱モジュールの収容空間内に収容されて、前記複数の散熱フィンにより囲まれる。前記電源転送モジュールは前記発光モジュールに電気的に接続されて前記複数の散熱フィンのうちの隣り合う２つの散熱フィンの間の隙間を通る。ケーシングモジュールは、上板本体及び前記上板本体と相互に組み合わせられる下板本体を備える。複数の散熱シートは、前記上板本体と前記下板本体との間に設けられる。また、前記電源プラグは各発光ダイオードランプ構造の電源転送モジュールに電気的に接続される。そして、前記上板本体は、前記複数の発光ダイオードランプ構造の各々を露出させる複数の開口を有する。前記複数の発光ダイオードランプ構造は、前記上板本体と前記下板本体との間で前記複数の散熱シートに囲まれるように配置される。
【００１２】
また、異なる要求によって、各散熱モジュールのこれらの散熱フィンは、以下の幾つの異なる態様を備える。
【００１３】
一、各散熱フィンは、堆積部と、前記堆積部の側辺から前方向かつ上方向へ延び出されたフィン部とを備え、前記発光モジュールは前記散熱基板のこれらの堆積部に設置される。
【００１４】
二、各散熱フィンは、堆積部と、前記堆積部の側辺から前方向かつ上方向へ延び出されたフィン部とを備える。また、本発明の発光ダイオードランプ構造は、さらに、前記収容空間内に収容され、かつこれらの堆積部の上面に設置される散熱基板を含み、前記散熱基板の周囲はこれらのフィン部の内側縁に当接される。前記発光モジュールは前記散熱基板に設置される。
【００１５】
三、各散熱フィンは、堆積部と、前記堆積部の側辺から前方向かつ上方向及び下方向へ延び出されたフィン部とを備える。また、本発明の発光ダイオードランプ構造は、さらに、これらの堆積部の下面及びこれらのフィン部の内側縁に当接される散熱基板を含む。前記発光モジュールは前記堆積部に設置される。
【００１６】
四、各散熱フィンは、固定部と、前記固定部から上方向へ延び出されたフィン部とを備える。また、本発明の発光ダイオードランプ構造は、さらに、これらの固定部の内側縁に当接される散熱基板を含み、散熱フィンの各固定部は、前記散熱基板の周囲を囲むように固定される。前記発光モジュールは前記散熱基板に設置される。
【００１７】
五、各散熱フィンは、嵌合部と、前記嵌合部の側辺から前方向かつ上方向及び下方向へ延び出されたフィン部とを備える。また、本発明の発光ダイオードランプ構造は、さらに、その周囲に前記嵌合部に対応する複数の凹溝が成形された散熱基板を含み、前記凹溝内に各散熱フィンの嵌合部を嵌め込ませることにより、前記散熱基板の周囲をこれらのフィン部の内側縁に当接させる。前記発光モジュールは前記散熱基板に設置される。
【００１８】
以上により、本発明の発光ダイオードランプシステムは、高効率な散熱機能を発生でき、発光ダイオード（特に、ハイパワーな発光ダイオード）の使用寿命を向上できる。
【００１９】
本発明が所定の目的を達成するために採用する技術、手段及びその効果をさらに詳しく具体的に説明するために、以下に本発明に関わる詳しい説明及び添付図面を参照することにより、深く且つ具体的な理解を得られるが、それらの添付図面が参考及び説明のみに使われ、本考案の主張範囲を狭義的に局限するものではないことは言うまでもないことである。
【発明を実施するための最良の形態】
【００２０】
図１Ａ〜図１Ｄは、それぞれ、本発明に係る発光ダイオードランプ構造の第１実施例の部分分解斜視図、斜視組立図、上面図及び側面断面図（上板本体、下板本体及びジョイント板本体を加えてある。）である。これらの図面から分かるように、本発明の第１実施例は、散熱モジュール１ａと、発光モジュール２と、電源転送モジュール３とを含む発光ダイオードランプ構造Ａを提供する。
【００２１】
散熱モジュール１ａは、散熱フィン１０ａを複数有し、これらの散熱フィン１０ａは散熱モジュール１ａの中間に収容空間１１ａを形成するように放射形状に組み合わせられる。つまり、該散熱モジュール１ａはラジアルフィンを有する散熱モジュールである。
【００２２】
各散熱フィン１０ａは、堆積部１００ａと、該堆積部１００ａの側辺から前方向かつ上方向へ延び出されたフィン部１０１ａとを備え、各堆積部１００ａ同士の間毎にスールホール１０２ａが形成される。また、これらの散熱フィン１０ａは、これらの堆積部１００ａの相互堆積（すなわち、堆積部１００ａを互いに堆積するように並べること）により組合される。第１実施例としては、これらの散熱フィン１０ａは前記堆積部１００ａが左右に相互堆積することにより組み合わせられている。また、異なる設計によれば、これらの散熱フィン１０ａは前記堆積部１００ａが上下に相互堆積することにより組み合わせられることもできる。
【００２３】
発光モジュール２は、散熱モジュール１ａの収容空間１１ａ内に収容される。さらに、発光モジュール２は、正、負導電トレース（２０１、２０２）を有する基板２０と、二本の内部導電ピン（２１０、２１１）と、二本の内部導電ピン（２１０、２１１）を介して基板２０の正、負導電トレース（２０１、２０２）に電気的に接続される少なくとも一つの発光素子２１と、該少なくとも一つの発光素子２１を覆うための蛍光コロイド２２と、該蛍光コロイド２２の周辺を覆い該蛍光コロイド２２の上面のみを露出させる遮光フレーム本体２３と、を含む。
【００２４】
電源転送モジュール３は、発光モジュール２に電気的に接続され、かつ、二本のリードワイヤ３０を有する。該二本のリードワイヤ３０はいずれか二つのスールホール１０２ａ内を選択的に通過できる。
【００２５】
図１Ｄに示すように、本発明の発光ダイオードランプ構造は、さらに、ケーシングモジュール４を含む。ケーシングモジュール４は、上板本体４０、下板本体４１、及びジョイント板本体４２を有し、上板本体４０及びジョイント板本体４２は、それぞれ、発光モジュール２を露出させる開口（４００、４２０）を有する。また、上板本体４０及び下板本体４１は、複数のねじ（図示せず）により互いに組み合わせられて締め付けられ、ジョイント板本体４２は、上板本体４０及び散熱フィン１０ａの間に設置される。言い換えれば、各散熱フィン１０ａの上端は、ジョイント板本体４２に接触し、下端は、下板本体４１から所定距離Ｈ離れる。ジョイント板本体４２を使用することによって、散熱フィン１０ａが上板本体４０の下方に固定され易くなる。
【００２６】
図１Ｅは、本発明に係る発光ダイオードランプ構造の第１実施例の散熱フィンが下板本体と接触する態様を示す側面断面図（上板本体、下板本体及びジョイント板本体を加えてある。）である。図面から分かるように、異なる散熱要求に応じて、各散熱フィン１０ａの上端及び下端は、それぞれ、ジョイント板本体４２及び下板本体４１に接触する。
【００２７】
図２Ａ〜図２Ｂは、それぞれ、本発明に係る発光ダイオードランプ構造の第２実施例の部分分解斜視図及び側面断面図（上板本体、下板本体及びジョイント板本体を加えてある。）である。図面から分かるように、本発明の第２実施例は、散熱モジュール１ｂと、発光モジュール２と、電源転送モジュール３と、散熱基板５ｂを含む発光ダイオードランプ構造Ｂを提供する。
【００２８】
散熱モジュール１ｂは、複数の散熱フィン１０ｂを有し、かつ、これらの散熱フィン１０ｂは、散熱モジュール１ｂの中央に収容空間１１ｂを形成するように放射形状に組み合わせられる。つまり、該散熱モジュール１ｂはラジアルフィンを有する散熱モジュールである。
【００２９】
各散熱フィン１０ｂは、堆積部１００ｂと、該堆積部１００ｂの側辺から前方向かつ上方向へ延び出されたフィン部１０１ｂとを備え、各フィン部１０１ｂ同士の間毎に、電源転送モジュール３の一本のリードワイヤ３０を通過させるためのギャップ１０２ｂが形成される。また、第２実施例としては、これらの散熱フィン１０ｂは堆積部１００ｂが左右に相互堆積することで組み合わせられている。
【００３０】
本発明の第２実施例において、第１実施例と最も異なる点は、散熱基板５ｂを追加し、該散熱基板５ｂが収容空間１１ｂ内に収容されかつ堆積部１００ｂの上面１０００ｂに設置され、散熱基板５ｂの周囲がフィン部１０１ｂの内側縁１０１０ｂに当接される点である。発光モジュール２は散熱基板５ｂ上に設置される。また、実際の散熱要求に応じて、散熱基板５ｂは中空または中実の散熱基板に設計でき、異なる空間設計に応じて、散熱基板５ｂの外形は、円柱状またはあらゆる形状（例えば、方形或いは多辺形）であってもよい。
【００３１】
図３Ａ〜図３Ｂは、それぞれ、本発明に係る発光ダイオードランプ構造の第３実施例の部分分解斜視図及び側面断面図（上板本体、下板本体及びジョイント板本体を加えてある。）である。図面から分かるように、本発明の第３実施例は、散熱モジュール１ｃと、発光モジュール２と、電源転送モジュール３と、散熱基板５ｃとを含む発光ダイオードランプ構造Ｃを提供する。
【００３２】
散熱モジュール１ｃは、複数の散熱フィン１０ｃを有し、かつ、これらの散熱フィン１０ｃは散熱モジュール１ｃの中央に収容空間１１ｃを形成するように放射形状に組み合わせられる。つまり、散熱モジュール１ｃはラジアルフィンを有する散熱モジュールである。
【００３３】
各散熱フィン１０ｃは、堆積部１００ｃと、該堆積部１００ｃの側辺から前方向かつ上方向及び下方向へ延び出されたフィン部１０１ｃとを備え、各フィン部１０１ｃ同士の間毎に、電源転送モジュール３の一本のリードワイヤ３０を通過させるためのギャップ１０２ｃが形成される。また、第３実施例としては、散熱フィン１０ｃはこれらの堆積部１００ｃが左右に相互堆積することによりを組み合わせられている。
【００３４】
本発明の第３実施例において、第２実施例と最も異なる点は、散熱基板５ｃの上端が、堆積部１００ｃの下面１０００ｃに当接し、かつ、散熱基板５ｃの周囲がこれらのフィン部１０１ｃの内側縁１０１０ｃに当接される点である。また、発光モジュール２は堆積部１００ｃ上に設置される。
【００３５】
図４Ａ〜図４Ｂは、それぞれ、本発明に係る発光ダイオードランプ構造の第４実施例の部分分解斜視図及び側面断面図（上板本体、下板本体及びジョイント板本体を加えてある。）である。図面から分かるように、本発明の第４実施例は、散熱モジュール１ｄと、発光モジュール２と、電源転送モジュール３と、散熱基板５ｄを含む発光ダイオードランプ構造Ｄを提供する。
【００３６】
散熱モジュール１ｄは、複数の散熱フィン１０ｄを有し、かつ、これらの散熱フィン１０ｄは、散熱モジュール１ｄの中央に収容空間１１ｄを形成するように放射形状に組み合わせられる。つまり、該散熱モジュール１ｄはラジアルフィンを有する散熱モジュールである。
【００３７】
各散熱フィン１０ｄは、固定部１００ｄと、該固定部１００ｄから上方向へ延び出されたフィン部１０１ｄとを備え、互いに隣接する固定部１００ｄの間毎に、電源転送モジュール３の一本のリードワイヤ３０を通過させるためのギャップ１０２ｄが形成される。
【００３８】
本発明の第４実施例において、第１、２及び３実施例と最も異なる点は、散熱基板５ｄの周囲が固定部１００ｄの内側縁１０００ｄに当接される点である。言い換えれば、散熱フィン１０ｄの各固定部１００ｄは、散熱基板５ｄの周囲を回る（囲む）ように固定される。また、発光モジュール２は散熱基板５ｄ上に設置される。
【００３９】
図５Ａ〜図５Ｂは、それぞれ、本発明に係る発光ダイオードランプ構造の第５実施例の部分分解斜視図及び側面断面図（上板本体、下板本体及びジョイント板本体を加えてある。）である。図面から分かるように、本発明の第５実施例は、散熱モジュール１ｅと、発光モジュール２と、電源転送モジュール３と、散熱基板５ｅを含む発光ダイオードランプ構造Ｅを提供する。
【００４０】
散熱モジュール１ｅは、複数の散熱フィン１０ｅを有し、これらの散熱フィン１０ｅは、散熱モジュール１ｅの中央に収容空間１１ｅを形成するように放射形状に組み合わせられる。つまり、散熱モジュール１ｅはラジアルフィンを有する散熱モジュールである。
【００４１】
各散熱フィン１０ｅは、嵌合部１００ｅと、該嵌合部１００ｅの側辺から前方向かつ上方向及び下方向へ延び出されたフィン部１０１ｅとを備え、各フィン部１０１ｅ同士の間毎に、電源転送モジュール３の一本のリードワイヤ３０を通過させるためのギャップ１０２ｅが形成される。
【００４２】
本発明の第５実施例において、他の実施例と最も異なる点は、散熱基板５ｅの周囲に嵌合部１００ｅに対応する複数の凹溝４０ｅが形成され、該凹溝４０ｅ内に各散熱フィン１０ｅの嵌合部１００ｅを嵌め込ませることにより、散熱基板５ｅの周囲をこれらのフィン部１０１ｅの内側縁１０１０ｅに当接させる点である。また、発光モジュール２は散熱基板５ｅ上に設置される。
【００４３】
図６は、本発明に係る発光ダイオードランプシステムを示す。図面から分かるように、本発明は、複数の発光ダイオードランプ構造Ｆ、電源プラグ３′及びケーシングモジュール４′を含む発光ダイオードランプシステムを提供する。各発光ダイオードランプ構造Ｆは、散熱モジュール１′と、発光モジュール２′と、電源転送モジュール（図示せず）とを含む。また、これらの発光ダイオードランプ構造Ｆは、ストリートランプ構造に配列される。
【００４４】
散熱モジュール１′は、複数の散熱フィン１０′を有し、かつ、これらの散熱フィン１０′は、収容空間１１′を形成するように放射形状に組み合わせられる。発光モジュール２′は散熱モジュール１′の収容空間１１′内に収容され、電源転送モジュールは発光モジュール２′に電気的に接続される。
【００４５】
また、電源プラグ３′は、各発光ダイオードランプ構造Ｆの電源転送モジュールにそれぞれ電気的に接続される。言い換えれば、各電源転送モジュールは、一本の正極リードワイヤ及び一本の負極リードワイヤ（図示せず）を有し、各電源転送モジュールの正極リードワイヤ及び負極リードワイヤは、それぞれ、電源プラグ３′の正極端３１′及び負極端３２′に電気的に接続される。
【００４６】
また、ケーシングモジュール４′は、上板本体４０′、該上板本体４０′と相互に組み合わせる下板本体４１′、及び上板本体４０′と各散熱フィン１０′との間に設けられるジョイント板本体４２′とを備え、上板本体４０′及びジョイント板本体４２′は、それぞれ、これらの発光モジュール２′を露出させるための開口（４００′、４２０′）を複数有する。また、上板本体４０′及び下板本体４１′は、複数のねじＳにより互いに組み合わせて締め付けられ、ジョイント板本体４２′は、上板本体４０′及びこれらの散熱フィン１０′の間に設置される。また、異なる使用要求に応じて、発光ダイオードランプシステムは、さらに、上板本体４０′と下板本体４１′との間に設けられる散熱シート５′を複数有し、これらの散熱シート５′は、これらの発光ダイオードランプ構造Ｆを囲む。
【００４７】
しかしながら、上記これらの発光ダイオードランプ構造Ｆの配列は、ストリートランプ構造だけに限定されなく、あらゆる形状の配列組合は、ともに、本発明の保護範囲である。例えば、発光ダイオードランプ構造Ｆは、直線状に配列されたデスク型ランプであってもよい。
【００４８】
また、上記の異なる実施例に掲示される五つの発光ダイオードランプ構造（Ａ、Ｂ、Ｃ、Ｄ、Ｅ）は、ともに、本発明の発光ダイオードランプシステムに適用できる。すなわち、使用者の要求に応じて、これらの発光ダイオードランプ構造Ｆを他の種類の発光ダイオードランプ構造に変えてもよい。
【００４９】
以上のように、本発明は、ラジアル型散熱フィンを有する散熱モジュールを使用することにより、ハイパワー発光ダイオードに高効率の散熱効果を提供する。そのため、本発明の発光ダイオードは、比較的低い温度下で使用でき、発光ダイオードの使用寿命を確保できる。言い換えれば、本発明に係る発光ダイオードランプ構造及びシステムは、高効率な散熱機能を有し、発光ダイオード（特に、ハイパワーな発光ダイオード）の使用寿命を向上できる。
【００５０】
前記の説明は、単に本発明の好ましい具体的な実施例の詳細説明及び図面に過ぎず、本発明の特許請求の範囲を局限するものではなく、本発明の主張する範囲は、特許請求の範囲に基づくべきで、いずれの当該分野における通常の知識を有する専門家が本発明の分野の中で、適当に変更や修飾などを実施できるが、それらの実施が本発明の主張範囲内に納入されるべきことは言うまでもないことである。
【図面の簡単な説明】
【００５１】
【図１Ａ】図１Ａは、本発明に係る発光ダイオードランプ構造の第１実施例の部分分解斜視図である。
【図１Ｂ】図１Ｂは、本発明に係る発光ダイオードランプ構造の第１実施例の斜視組立図である。
【図１Ｃ】図１Ｃは、本発明に係る発光ダイオードランプ構造の第１実施例の上面図である。
【図１Ｄ】図１Ｄは、本発明に係る発光ダイオードランプ構造の第１実施例の側面断面図（上板本体、下板本体及びジョイント板本体を加えてある。）である。
【図１Ｅ】図１Ｅは、本発明に係る発光ダイオードランプ構造の第１実施例の散熱フィンが下板本体と接触する態様を示す側面断面図（上板本体、下板本体及びジョイント板本体を加えてある。）である。
【図２Ａ】図２Ａは、本発明に係る発光ダイオードランプ構造の第２実施例の部分分解斜視図である。
【図２Ｂ】図２Ｂは、本発明に係る発光ダイオードランプ構造の第２実施例の側面断面図（上板本体、下板本体及びジョイント板本体を加えてある。）である。
【図３Ａ】図３Ａは、本発明に係る発光ダイオードランプ構造の第３実施例の部分分解斜視図である。
【図３Ｂ】図３Ｂは、本発明に係る発光ダイオードランプ構造の第３実施例の側面断面図（上板本体、下板本体及びジョイント板本体を加えてある。）である。
【図４Ａ】図４Ａは、本発明に係る発光ダイオードランプ構造の第４実施例の部分分解斜視図である。
【図４Ｂ】図４Ｂは、本発明に係る発光ダイオードランプ構造の第４実施例の側面断面図（上板本体、下板本体及びジョイント板本体を加えてある。）である。
【図５Ａ】図５Ａは、本発明に係る発光ダイオードランプ構造の第５実施例の部分分解斜視図である。
【図５Ｂ】図５Ｂは、本発明に係る発光ダイオードランプ構造の第５実施例の側面断面図（上板本体、下板本体及びジョイント板本体を加えてある。）である。
【図６】図６は、本発明に係る発光ダイオードランプシステムを示す図である。
【符号の説明】
【００５２】
Ａ、Ｂ、Ｃ、Ｄ、Ｅ、Ｆ  発光ダイオードランプ構造
１ａ  散熱モジュール
２  発光モジュール
３  電源転送モジュール
１０ａ  散熱フィン
１１ａ  収容空間
１００ａ  堆積部
１０１ａ  フィン部
１０２ａ  スールホール
２０１  正導電トレース
２０２  負導電トレース
２０  基板
２１０、２１１  内部導電ピン
２１  発光素子
２２  蛍光コロイド
２３  遮光フレーム本体
３０  リードワイヤ
４  ケーシングモジュール
４０  上板本体
４１  下板本体
４２  ジョイント板本体
４００、４２０  開口
１ｂ  散熱モジュール
５ｂ  散熱基板
１０ｂ  散熱フィン
１１ｂ  収容空間
１００ｂ  堆積部
１０１ｂ  フィン部
１０２ｂ  ギャップ
１０００ｂ  堆積部上面
１ｃ  散熱モジュール
５ｃ  散熱基板
１０ｃ  散熱
１１ｃ  収容空間
１００ｃ  堆積部
１０１ｃ  フィン部
１０２ｃ  ギャップ
１０１０ｃ  フィン部の内側縁
１ｄ  散熱モジュール
５ｄ  散熱基板
１０ｄ  散熱フィン
１１ｄ  収容空間
１００ｄ  固定部
１０１ｄ  フィン部
１０２ｄ  ギャップ
１０００ｄ  固定部の内側縁
１ｅ  散熱モジュール
５ｅ  散熱基板
１０ｅ  散熱フィン
１１ｅ  収容空間
１００ｅ  嵌合部
１０１ｅ  フィン部
１０２ｅ  ギャップ
４０ｅ  凹溝
１０１０ｅ  フィン部の内側縁
１′  散熱モジュール
２′  発光モジュール
３′  電源プラグ
４′  ケーシングモジュール
１０′  散熱フィン
１１′  収容空間
３１′  正極端
３２′  負極端
４０′  上板本体
４１′  下板本体
４２′  ジョイント板本体
４００′、４２０′  開口
５′  散熱シート
【図１Ａ】
0004716228.tif 000002
【図１Ｂ】
0004716228.tif 000003
【図１Ｃ】
0004716228.tif 000004
【図１Ｄ】
0004716228.tif 000005
【図１Ｅ】
0004716228.tif 000006
【図２Ａ】
0004716228.tif 000007
【図２Ｂ】
0004716228.tif 000008
【図３Ａ】
0004716228.tif 000009
【図３Ｂ】
0004716228.tif 000010
【図４Ａ】
0004716228.tif 000011
【図４Ｂ】
0004716228.tif 000012
【図５Ａ】
0004716228.tif 000013
【図５Ｂ】
0004716228.tif 000014
【図６】
0004716228.tif 000015